(57)【要約】【課題】安全注射器を提供する。【解決手段】注射筒10の内部に設けられるチャック部20を含む安全注射器を提供し、チャック部20はチューブ21と、チューブ21に直接成型されるシール部22とを有する。弾性材料からなるシール部22は、チューブ21の外部に形成され、注射筒10のチャンバー111の内壁と密着可能な外径区域を有し、注射筒10の内部に密着的に設けられることができる。
2007504868.tif 000002
【特許請求の範囲】
【請求項１】
一端が収束管部を有し、当該収束管部の中央部にある貫通穴がチャンバーと連通する注射筒と、
一端がピストンを有し、当該ピストンを介して前記注射筒の前記チャンバーに挿入し、当該一端には、ほぞがさらに設けられるプッシャと、
針台と針体とからなり、当該針台は連結部を有する針セットと、
前記収束管部の貫通穴と連結可能な中空状のチューブを有し、当該チューブは、当該チューブの内部に形成される上組合せ部と下チャック部を有し、当該上組合せ部は、前記針台の前記連結部と組み合わせ、当該下チャック部は、前記プッシャの前記ほぞと連結し、前記針台は、当該チューブの端部に組み合わせるチャック部と、
を含み、
前記チャック部の前記チューブは、直接成型により前記チャック部の前記チューブに固定され、弾性材料からなるシール部を有し、当該シール部は、前記チャック部の前記チューブの外部に形成され、前記注射筒の前記チャンバーの内壁と密着可能な外径区域を有る、
安全注射器。
【請求項２】
前記チューブの下チャック部と内部との間に、傾斜肩部が設けられる、
請求項１に記載の安全注射器。
【請求項３】
前記プッシャのピストンは、射出成型方式で前記プッシャの端部に直接固定される、
請求項１に記載の安全注射器。
【請求項４】
一端が収束管部を有し、当該収束管部の中央部にある貫通穴がチャンバーと連通する注射筒と、
一端がピストンを有し、当該ピストンを介して前記注射筒の前記チャンバーに挿入し、当該一端には、ほぞがさらに設けられるプッシャと、
前記収束管部の貫通穴と連結可能な中空状のチューブを有し、当該チューブは、当該チューブの内部に形成される上組合せ部を有するチャック部と、
針台と針体とからなり、当該針台は、連結部を有し、前記チューブの上組合せ部と組み合わせる針セットと、
を含み、
前記チャック部の前記チューブは、直接成型により前記チャック部の前記チューブに固定され、弾性材料からなるシール部を有し、当該シール部は、前記チャック部の前記チューブの外部に形成され、前記注射筒の前記チャンバーの内壁と密着可能な外径区域を有し、
前記シール部は、前記チャック部の前記チューブ内部に形成され、前記プッシャの前記ほぞと連結する下チャック部を有する、
安全注射器。
【請求項５】
前記チューブの下チャック部と内部との間に、傾斜肩部が設けられる、
請求項４に記載の安全注射器。
【請求項６】
前記プッシャのピストンは、射出成型方式で前記プッシャの端部に直接固定される、
請求項４に記載の安全注射器。
【請求項７】
一端が収束管部を有し、当該収束管部の中央部にある貫通穴がチャンバーと連通する注射筒と、
一端がピストンを有し、当該ピストンを介して前記注射筒の前記チャンバーに挿入し、当該一端には、ほぞがさらに設けられるプッシャと、
前記収束管部の貫通穴と連結可能な中空状のチューブを有するチャック部と、
針台と針体とからなり、当該針台は、連結部を有し、前記チャック部の前記チューブの端部と組み合わせる針セットと、
を含み、
前記チャック部の前記チューブは、直接成型により前記チャック部の前記チューブに固定され、弾性材料からなるシール部を有し、当該シール部は、前記チャック部の前記チューブの外部に形成され、前記注射筒の前記チャンバーの内壁と密着可能な外径区域を有し、
前記シール部は、前記チャック部の前記チューブ内部に形成される上チャック部と下チャック部を有し、当該上チャック部と下チャック部は、前記針台の前記連結部と組み合わせ、さらに、当該前記上チャック部と下チャック部は、前記プッシャの前記ほぞと連結する、
安全注射器。
【請求項８】
前記チューブの下チャック部と内部との間に、傾斜肩部が設けられる、
請求項７に記載の安全注射器。
【請求項９】
前記プッシャのピストンは、射出成型方式で前記プッシャの端部に直接固定される、
請求項４に記載の安全注射器。
【請求項１０】
一端が収束管部を有し、当該収束管部の中央部にある貫通穴がチャンバーと連通する注射筒と、
一端がピストンを有し、当該ピストンを介して前記注射筒の前記チャンバーに挿入し、当該一端には、ほぞがさらに設けられるプッシャと、
前記収束管部の貫通穴と連結可能な中空状のチューブを有するチャック部と、
針台と針体とからなり、当該針台は、めすネジ部を有し、前記チャック部の前記チューブの端部と組み合わせる針セットと、
を含み、
前記チャック部の前記チューブは、直接成型により前記チャック部の前記チューブに固定され、弾性材料からなるシール部を有し、当該シール部は、前記チャック部の前記チューブの外部に形成され、前記注射筒の前記チャンバーの内壁と密着可能な外径区域を有し、
前記シール部は、前記チャック部の前記チューブ内部に形成されるめすネジ部と下チャック部を有し、当該めすネジ部は、前記針台のめすネジ部と組み合わせ、当該下チャック部は、前記プッシャの前記ほぞと連結する、
安全注射器
【請求項１１】
前記チューブの下チャック部と内部との間に、傾斜肩部が設けられる、
請求項１０に記載の安全注射器。
【請求項１２】
前記プッシャのピストンは、射出成型方式で前記プッシャの端部に直接固定される、
請求項１０に記載の安全注射器。
【請求項１３】
一端が収束管部を有し、当該収束管部の中央部にある貫通穴がチャンバーと連通する注射筒と、
一端がピストンを有し、当該ピストンを介して前記注射筒の前記チャンバーに挿入し、当該一端には、ほぞがさらに設けられるプッシャと、
前記収束管部の貫通穴と連結可能な中空状のチューブを有するチャック部と、
針台と針体とからなり、当該針台は、一体成型により前記チャック部の前記チューブの端部に形成される針セットと、
を含み、
前記チャック部の前記チューブは、直接成型により前記チャック部の前記チューブに固定され、弾性材料からなるシール部を有し、当該シール部は、前記チャック部の前記チューブの外部に形成され、前記注射筒の前記チャンバーの内壁と密着可能な外径区域を有し、
前記シール部は、前記チャック部の前記チューブ内部に形成される上チャック部と下チャック部を有し、当該上チャック部と下チャック部は、前記プッシャの前記ほぞと連結する、
安全注射器
【請求項１４】
前記チューブの下チャック部と内部との間に、傾斜肩部が設けられる、
請求項１３に記載の安全注射器。
【請求項１５】
前記プッシャのピストンは、射出成型方式で前記プッシャの端部に直接固定される、
請求項１３に記載の安全注射器。
【発明の詳細な説明】
【技術分野】
【０００１】
本発明は、注射器に関し、特に注射後、針を注射筒内に収納できる安全注射器に関する。
【背景技術】
【０００２】
図１７〜１８に示すように、従来の注射器（特願第８７２１９１２９号）は、注射筒１と、注射筒１内部に取付けられるチャック部２と、チャック部２に固定される針セット３と、注射筒１の中で移動するプッシャ４とを含む。注射筒１内部には、チャンバー１０１と、チャンバー１０１と連通して収束状の前端穴１０２と、チャンバー１０１と前端穴１０２との間に設けられる肩部１０３とが設置され、チャック部２には、肩部１０３に固定される台部２０１と、台部２０１の軸線に沿って突出して設置される円筒部２０２と、円筒部２０２を被せるＯリング２０３と、円筒部２０２の軸線に向かって設けられる縁部２０４とが設置される。円筒部２０２の内面の一部は、ねじ部２０５を有する。針セット３は、ねじ部２０５と接続する針台３０１と、針台３０１内部に固定される針体３０２を有する。プッシャ４には、操作する桿部４０１と、チャンバー１０１と気密的に密着するピストン４０２と、ピストン４０２の外側に縁部２０４を適当に越えてかつチャック部２と連結するほぞ４０３と、ほぞ４０３の中央に軸線に沿って、ほぞ４０３を圧縮しかつ圧縮力を釈放した後、自動的に上昇する特性を持つグルーブ４０４とが設置される。チャック部２はチャンバー１０１の開口に嵌め入れられる。また、円筒部２０２を前端穴１０２に嵌め入れ、台部２０１が肩部１０３をストップすることと、プッシャ４を利用してチャンバー１０１の中に挿入し、チャック部２をストップする（但し、ほぞ４０３は出縁２０４を越えてはならない）ことより、チャック部２を止め、針セット３の針台３０１は注射筒１の前端穴１０２の外部からチャック部２のねじ部２０５に入れる。上記の注射器は、予期される使用目的を達成できるが、製造及び組み立てる時、下記の欠点がある。
【０００３】
１．  チャック部２とＯリング２０３は二つの部材であって、製造する時は２台の機械が必要であり、また組み立てる時も必要であるので、コストがアップされる。
【０００４】
２．  Ｏリング２０３の体積が小さいので、手で組立てにくく、機械で組立てると、Ｏリング本体には弾性があるため、組立てる時、よく離脱するので、不良率が高くなる。またＯリング２０３が一旦離脱して操作機械に引っかかると、機械をストップし、修理しなければならない。
【０００５】
３．  組立てる時、プッシャ４を注射筒１のチャンバー１０１の中に挿入し、またチャック部２に寄りかからないと、チャック部２はスムーズに針セット３と連結できないので、組立て操作は手数がかかってかつ効率が低い。
【０００６】
４．  Ｏリングをチャック部２に嵌め入れると、全体の部材が複雑になって、また、ほぞ４０３をスムーズに縁部２０４を通過させるため、ほぞ４０３の中央にグルーブ４０４を付けなければならないので、構造においても複雑である。
【０００７】
５．  チャック部２と針台３０１は、二つの独立したアセンブリーパーツであって、組立てないと連結固定できず、かつ組立てる時、チャック部２と針台３０１を相対的に回転させないと、針台３０１はスムーズにチャック部２のねじ部２０５に入れないので、操作は手数がかかる。
【発明の開示】
【発明が解決しようとする課題】
【０００８】
本発明の目的は、組立てやすく、迅速かつ機械で組立てる時、部材の離脱を防止することより、効率をアップさせる安全注射器を提供することにある。
【０００９】
本発明の別の目的は、針を注射筒内に収納できる安全注射器であり、チャック部の構造を利用することより、針が自動的に偏し、針が外部へ露出しない安全注射器を提供することにある。
【００１０】
本発明のもう一つの目的は、チャック部と針セットとを連結させ、アセンブリーパーツ数を減少させ、また、組立て操作を簡単にさせる安全注射器を提供することにある。
【課題を解決するための手段】
【００１１】
ゆえに、本発明に開示される安全注射器は、注射筒と、この注射筒内部に取付けられるチャック部と、このチャック部に固定される針セットと、注射筒の中で移動するプッシャとを含む。その中には、シール部があり、シール部は弾性材質であって、直接成型によってチャック部のチューブに固定され、チューブ外部に形成されるとき、注射筒のチャンバー内壁の外径と密着できる。これより、プッシャが軸線に沿って、チャック部に接近するとき、ほぞを利用し、プッシャとチャック部を連結する目的を達成する。
【００１２】
そのシール部の成型様式は数種類があり、例えばチューブ外部を被る様式、或いは下チャック部を形成する様式、また同時に上下チャック部を形成する様式、或いは上ねじ部と下チャック部を形成する様式を含む。そして、その下チャック部と中空内部との間に傾斜肩部の設置が可能である。
【００１３】
本発明の安全注射器は、可塑弾性のシール部とチューブが一体となり、シーリングする目的を達成する以外、組立てやすく、効率をアップし、コストをダウンすることができるので、本発明の目的を確実に達成できる。
【発明を実施するための最良の形態】
【００１４】
上記の説明及び本発明の技術内容、特徴と効果を、付図を参照しながら説明する。
【００１５】
図１、２は、本発明の安全注射器の第一の好適な実施例を示す図である。それには一つの注射筒１０、一つのその注射筒１０内部に取付けるチャック部２０、一つのそのチャック部２０の中に固定する針セット３０及び一つの注射筒１０の中で移動するプッシャ４０を含む。
【００１６】
注射筒１０を中空円筒状に作り、一つの軸線を取り囲むＬと一つのチャンバー１１１の筒部１１及び一つの筒部１１に固定連接の一端に、収束状を成す収束管部１２を取付け、その収束管部内部に一つのチャンバー１１１と連通かつ孔径がより小さい貫通穴１２１を設け、貫通穴とチャンバー１１１の連通箇所に一つのストッパー１３とリング溝１４を設ける。
【００１７】
チャック部２０は、中空の柱状に作られ、貫通穴１２１の反対側にあるチャンバー１１１の開口部から注射筒１０内部に入れられ、また一つのチューブ２１と一つの直接成型によってチューブ２１に固定されるシール部２２がある。チューブ２１に一つのストッパー１３をストップする台部２２１を設ける。シール部２２は弾性材質を採用（本実施例はゴム）し、かつ直接外チューブ２３の台部２２１と一体になって、そのシール部２２の一つの外径Ｄはそれと対応するチューブ２１の外径ｄより大きいので、シール部２２は注射筒１０内部のリング溝１４に入り、弾性気密状態を形成する。またチューブ２１にはその中空内部２１０の組立て部２１３（本実施例はめすねじ）及び下チャック部２１５（本実施例は間隔に配列される逆棘体）と一体成形になっている。
【００１８】
針セット３０に針台３１を設け、及び一つの針台３１内部に固定する針体３２及び一つの針体３２外部を被るカバー３３を取付ける。針台３１に貫通穴１２１に挿入し、また組立て部２１３と連結する連結部３１１があって、及びチューブ２１外部にストップするストップリング３１２を設ける。
【００１９】
プッシャ４０は注射筒１０のチャンバー１１１に挿設し、プッシャ４０には操作用の桿部４１とその桿部４１の片方に設置し、かつ気密的にチャンバー１１１のピストン４０２と密着し、及びピストン４０２の外側にチャック部２１５を適当に連結するほぞ４３を設け、ほぞがチャック部２１５と連結すると、プッシャ４０は安定してチャック部２０と連結する目的を達成する。
【００２０】
図３は本発明の安全注射器の第二の好適な実施例を示す。大体の構造は上記の第一の実施例とは同じが、異なる点はシール部２２にプッシャ４０の桿部４１と連結するチューブ２１内部の下チャック部２１６を取付けることにある。
【００２１】
図４、５、６は本発明の安全注射器の第三の好適な実施例を示す図である。それには一つの注射筒１０、一つのその注射筒１０内部に取付けるチャック部２０、一つのそのチャック部２０の中に固定する針セット３０及び一つの注射筒１０の中で移動するプッシャ４０を含む。
【００２２】
注射筒１０を中空円筒状に作り、一つの軸線を取り囲むＬと一つのチャンバー１１１の筒部１１及び一つの筒部１１に固定連接の一端に、収束状を成す収束管部１２を取付け、その収束管部内部に一つのチャンバー１１１と連通かつ孔径がより小さい貫通穴１２１を設け、貫通穴とチャンバー１１１の連通箇所に一つのストッパー１３とリング溝１４を設ける。
【００２３】
チャック部２０は中空の柱状に作られ、貫通穴１２１の反対側にあるチャンバー１１１の開口部から注射筒１０内部へ入れられ、また一つのチューブ２１と一つの直接成型によってチューブ２１に固定されるシール部２２がある。チューブ２１に一つの硬質プラスチック材質（本実施例はポリスチレーン採用）で作った外套体２３及び外套体２３内部に固定設置する可塑弾性材質（本実施例はゴム採用）で作った内套体２４を設け、その外套体２３はストッパー１３にストップする台部２３１があって、一つの台部２３１の側面により小さい円径である円管部２３２を突設し、一つの軸線を取り囲むＬが台部２３１の外周面２３３と対応し、及び一つの外周面２３３と反対に設置した内周面２３４があって、台部２３１には数本の径に沿って延伸する流道２３５及び数個のその流道２３５の間にある支持ブロック２３６を設けた。内套体２４は流道２３５を通してシール部２２から内に向かって一体成形に延伸し、また一つの軸線Ｌを取り囲むインナーレース面２４１があって、そのインナーレース面にはチャンバー１１１に近接し、かつ軸線Ｌに向かって突出する第一チャック部２４２を設け、一つの第一チャック部２４２と反対に設置しかつ軸線Ｌに向かって突出する第二チャック部２４３を取付け、一つの第一チャック部２４２と第二チャック部２４３と相対しかつ軸線Ｌから離れた所に収納部２４４を設け、一つの第一チャック部２４２と収納部２４４の連接箇所にストッパー肩部２４５及びチャンバー１１１の近くの第一チャック部２４２の片方に錐孔状の引導部２４６を取付ける。シール部２２は可塑弾性材質（本実施例はゴム採用）で作り、外套体２３の台部２３１に直接流し込み、流道２３５を利用して導通すると台部２３１と内套体２４と一緒により良い連結効果が得られる（図７を参照する）。また支持ブロック２３６を利用すると、内套体２４はより良い定位性になる。一つのアウターレース部を外周面２３３に突設し、インナーレース部は内套体２４と一体となって、シール部２２の一つの外径Ｄはそれと対応する外套体２３の外周面２３３の外径ｄより大きい。
【００２４】
針セット３３に針台３１を設け、及び一つの針台３１内部に固定する針体３２及び一つの針体３２外部を被るカバー３３を針台３１に取付けた。針台３１の外周面に貫通穴１２１に挿入し、また第二チャック部２４３を越えて、収納部２４４の中の連結部３１１と連結し、及び円管部２３２外部にカバー３３をストップするストップリング３１２を設ける。
【００２５】
プッシャ４０は注射筒１０のチャンバー１１１に挿設し、プッシャ４０には操作用の桿部４１とその桿部４１の片方に設置しかつ気密的にチャンバー１１１のピストン４２と密着し、及びピストン４２の外側に第一チャック部２４２を適時に越え、収納部２４４に定位するほぞ４３を設け、ほぞ４３の最小外径は第一チャック部２４２の内径より大きい。かつ内套体２４の材質特性を利用し、ほぞ４３が第一チャック部２４２を通過した後、チャック部２０と連結する目的を達成する。
【００２６】
図７に示すように、組み立てる時、まず針セットの連結部３１１をチャック部２０の円管部２３２の開口から挿入し、内套体２４の材質特性を利用すると、連結部３１１はすぐに第二チャック部２４３を越えるから、針セットはチャック部２０と一体に連結する。それからチャック部２０とカバー３３を被った針セット３０をチャンバー１１１の開口から全体を注射筒１０の中に入れ、また針体３２とカバー３３の方向を貫通穴１２１に合わせ、シール部２２がリング溝１４内部に嵌め込みかつ台部２３１がストッパー１３にストップする時、チャック部２０と針セット３０は注射筒１０の中に定位される。最後はプッシャ４０にピストン４２とほぞ４３を設置した端をチャンバー１１１の中に挿入すると、組立ては完了する。上記の組立ては機械を利用して自動的に組立てることが可能であり、シール部２２はチューブ２１から離脱する恐れもない。
【００２７】
図８に示すように、注射完了後、廃棄前に、使用者はプッシャ４０を注射筒１０の内部へ押すと、内套体２４の材質特性を利用することより、ほぞ４３はすぐに第一チャック部２４２を越え、ほぞ４３は収納部２４４の中へ落ち込み、プッシャ４０はチャック部２０との連結目的が達成される。また図９で示すように、プッシャ４０を注射筒１０の外部へ引くと、チャック部２０と針セット３０はプッシャ４０に引きつられて注射筒１０内部へ移動し、針体３２とカバー３３が注射筒１０の中に入りこんだ時、プッシャ４０を折れば、針体３２が人体を刺す危険性がなくなる。
【００２８】
図１０で示すように、チャック部２０’の内套体２４’とインナーレース面２４１’に、第一チャック部２４２’と収納部２４４’との間に、傾斜状を成す傾斜肩部２４５’を設け、第一チャック部２４２’の中に斜軸線Ｌ’を取り囲むより形成した斜孔２４７’を取付け、斜軸線Ｌ’と軸線Ｌは約２０度に交差し、かつ斜軸線Ｌ’と傾斜肩部２４５’は垂直に交差する。図１１で示すように、プッシャ４０はほぞ４３を利用して、そのチャック部２０’と連結する時、斜孔２４７’によってほぞ４３は内套体２４’に対して片方を外側に向かってプッシュする作用を形成すると同時に、シール部２２’が注射筒１０に制限されるため、プッシャ４０が注射筒１０の外部に向かって移動する時（カバーを事前に外す）、元の外側に向かってプッシュする圧力が解除される。また内套体２４’の材質特性と斜孔２４７’、傾斜肩部２４５’の作用を利用することより、チャック部２０’と針セット３０の針体３２が注射筒１０内部へ移動する時、全体が傾斜し（斜孔２４７’はこの時ほぞ４３にプッシュされて変形し、またほぞ４３に変形される）、かつ針体３２の末端はストッパー１３にストップさせ、プッシャ４０を折れば、針体３２が露出する危険性がなくなる。
【００２９】
図１２、１３は本発明の安全注射器の第四の好適な実施例を示す図である。本実施例も一つの注射筒１０、一つのその注射筒１０内部に取付けるチャック部２０、一つのそのチャック部２０に固定する針セット３０、一つの注射筒１０の中で移動するプッシャ４０を含む。その中の注射筒１０とプッシャ４０の構造は上記の第三の実施例とは全く同じであり、以下はチャック部２０と針セット３０について説明する。
【００３０】
異なる点はシール部２２に同時にチューブ２１内部のめすネジ２１７と下チャック部２１６を設けることより、針セット３０の針台３１に設けたおすネジ３１１と組合せ、下チャック部２１６はプッシャ４０のほぞ４３と連結することにある。
【００３１】
図１４は本発明の安全注射器の第五の好適な実施例を示す図である。これにも一つの注射筒１０’’、一つのその注射筒１０’’内部に取付けるチャック部２０’’、一つのそのチャック部２０’’に固定する針セット３０’’、一つの注射筒１０’’の中で移動するプッシャ４０’’を含む。その中の注射筒１０’’とプッシャ４０’’の構造は上記の第三の実施例とは全く同じであり、以下はチャック部２０’’と針セット３０’’について説明する。
【００３２】
チャック部２０’’にチューブ２１’’を設け、直接成型によってチューブ２１’’のシール部２２’’が固定され、及び一つのチューブ２１’’と一体成型の針台２５’を取付ける。チューブ２１’’には一つの硬質プラスチック材質で作った外套体２３’’及び外套体２３’’内部に固定設置する弾性材質で作った内套体２４’’を設け、その外套体２３’’はストッパー１３’’にストップする台部２３１’’があって、一つの台部２３１’’の側面により小さい円径である円管部２３２’’を突設し、一つの軸線を取り囲むＬが台部２３１’’の外周面２３３’’と対応し、及び一つの外周面２３３’’と反対に設置した内周面２３４’’があって、台部２３１’’には数本の径に沿って流道２３５’’を設けた。内套体２４’’には一つの軸線Ｌを取り囲むインナーレース面２４１’’があって、そのインナーレース面にはチャンバー１１１’’に近接し、かつ軸線Ｌに向かって突出するチャック部２４２’’を設け、一つのチャック部２４２’’と相対しかつ軸線Ｌから離れた所に収納部２４４’’を取付けた。シール部２２’’はゴム材質で作り、流道２３５’’に直接流し込み、一つのアウターレース部を外周面２３３’’に突設し、インナーレース部は内套体２４’’と一体となって、シール部２２’’の一つの外径Ｄはそれと対応する外套体２３’’の外周面２３３’’の外径ｄより大きい。
【００３３】
針セット３０’’はチャック部２０’’の針台２５’’に直接固定され、かつ注射筒１０’’外部まで延伸する。
【００３４】
よって、本発明の第五の実施例はチューブ２１’’、シール部２２’’と針台２５’’を一体に作ったので、部材個数が減少されるだけではなく、製造と組立ての手数もかからない。組立てる時、針体３０’’を針台２５’’内部に固定するだけであるので、操作しやすい。また従来の注射器と比較すると、従来の注射器はチャック部を相対的に回転させないと連結できないので、本発明は確実に部材個数の減少と組立ての簡易化の目的を達成する。
【００３５】
また図１５は第五の実施例とほぼ同じが、異なる点はチャック部５０の内套体５４とインナーレース面５４１に、チャック部５４２と収納部５４４との間に、傾斜状を成す傾斜肩部５４５を設け、チャック部５４２の中に斜軸線Ｌ’を取り囲むより形成した斜孔５４７を取付け、かつ斜軸線Ｌ’と傾斜肩部２４５  は垂直に交差することにある。チャック部５０と針体６０が注射筒内部へ移動する時、針体６０が露出する危険性がなくなる。
【００３６】
また図１６で示しているのは上記の各実施例に通用し、そのプッシャ４０のピストン４２は射出成型方式で直接プッシャ４０端部に固定されるのが可能である。また安定する結合を得るため、プッシャ４０端のピストン４２は射出成型箇所にリングリブを形成するのも可能である。
【００３７】
上記をまとめて見ると、本発明は従来の技術欠点を克服し、その特徴と長所は下記の通りである。
【００３８】
１．シール部２２とチューブ２１は一体成型で、その内部のチャック部は直接成型できるので、構造が簡単であり、部材の製作と組立ても簡単である。シール部２２の弾性材質の特性を利用することより、ほぞ４３と連結部３１１の組立ては確実かつスムーズに達成される。
【００３９】
２．シール部２２とチューブ２１は一つの部材に直接成型されるので、一つの機械で製造するのが可能で、組立ても必要ないので、コストダウンの目的が達成される。
【００４０】
３．シール部２２はチューブ２１と直接成型され、組立てる問題がないので、手作業のコストが節約され、また機械を利用して組立てることが可能であり、シール部２２は離脱する恐れがないので、不良率が低く、機械をストップする確率も低いので、生産効率がアップされる。
【００４１】
４．組立てる時、事前にチャック部２０と針セット３０を一体に連結させ、チャック部２０と針セット３０を注射筒１０の中に定位させるだけで、組立てやすく、かつ迅速できるので、効率が大幅にアップされる。
【００４２】
５．シール部２２はチューブ２１と直接成型されるので、部材が簡易化され、かつ内套体２４の材質特性を利用し、ほぞ４３に溝を設置する必要がないし、構造においても簡単である。同一機械、同一時間、同一操作動作で組立てることは可能である。
【００４３】
６．ポリスチレーンで作った外套体２３及び支持ブロック２３６によって、ゴム材質で作った内套体２４とシール部２２を支持することで、プッシャ４０のほぞ４３がチャック部２０に嵌め入れると、安定した結合と緊迫した圧迫目的が達成される。
【００４４】
上記をまとめると、本発明の安全注射器は直接可塑弾性のシール部とチューブを一体させ、密封目的を達成する上、組立てやすく、効率をアップし、コストをダウンすることができるので、本発明の目的を確実に達成できる。
【図面の簡単な説明】
【００４５】
【図１】本発明の安全注射器の平面分解図であって、第一の皇帝那実施例を示す図である。
【図２】図１のチャック部の断面図である。
【図３】本発明の安全注射器の平面分解図であって、第二の好適な実施例     を示す図である。
【図４】本発明の安全注射器の平面分解図であって、第三の好適な実施例を示す図である。
【図５】図４のチャック部の断面図である。
【図６】図４の線４−４に沿った断面図である。
【図７】全体断面図であって、チャック部と針セットを連結させた後、図１の注射筒内部の組立てを示す図である。
【図８】操作説明図であって、プッシャの操作よりほぞをチャック部内部に連結させるのを説明する図である。
【図９】他の操作説明図であって、プッシャを引き、針を注射筒内部に収納するのを説明する図である。
【図１０】本発明に設けた傾斜肩部の実施例のチャック部を説明する平面断面図である。
【図１１】図１０の実施例の操作説明図であって、プッシャを引き、針を注射 筒内部に収納する状態を説明する図である。
【図１２】本発明の第四の好適な実施例の平面分解図である。
【図１３】本発明の第四の好適な実施例の平面組立て図である。
【図１４】本発明の第五の好適な実施例の平面組立て図である。
【図１５】本発明の第五の好適な実施例の変化例の平面組立て図である。
【図１６】本発明のプッシャとピストンが直接一体成形の平面断面図である。
【図１７】従来の安全注射器の斜視図である。
【図１８】図１７の安全注射器の組立て断面図である。
【図１】
2007504868.tif 000003
【図２】
2007504868.tif 000004
【図３】
2007504868.tif 000005
【図４】
2007504868.tif 000006
【図５】
2007504868.tif 000007
【図６】
2007504868.tif 000008
【図７】
2007504868.tif 000009
【図８】
2007504868.tif 000010
【図９】
2007504868.tif 000011
【図１０】
2007504868.tif 000012
【図１１】
2007504868.tif 000013
【図１２】
2007504868.tif 000014
【図１３】
2007504868.tif 000015
【図１４】
2007504868.tif 000016
【図１５】
2007504868.tif 000017
【図１６】
2007504868.tif 000018
【図１７】
2007504868.tif 000019
【図１８】
2007504868.tif 000020
【国際調査報告】
2007504868.tif 000021
2007504868.tif 000022
2007504868.tif 000023
2007504868.tif 000024